(57)【特許請求の範囲】
【請求項１】
基板と、
前記基板の上方において、ストライプ状に設けられた複数の第１電極と、
前記複数の第１電極の上方において、前記複数の第１電極と立体交差し、ストライプ状に設けられた複数の第２電極と、
前記複数の第１電極と前記複数の第２電極が立体交差する各交差部分において、前記複数の第１電極の各々と前記複数の第２電極の各々との間に設けられた発光層と、
前記基板と、前記複数の第１電極との間に設けられ、前記複数の第１電極と立体交差し、前記複数の第２電極と並行する複数の第１補助電極と、
前記基板と、前記複数の第１電極との間に設けられ、前記複数の第１補助電極及び前記複数の第２電極の双方と並行する複数の第２補助電極と、を備え、
前記複数の第１電極の各々と前記複数の第１補助電極の各々とは第１の接続箇所を通じて電気的に接続されており、
前記複数の第２電極の各々と前記複数の第２補助電極の各々とは前記複数の第１電極の少なくとも１つを跨いで配置された複数の第２の接続箇所を通じて電気的に接続されている、
ことを特徴とするパッシブマトリクス駆動型のディスプレイ。
【請求項２】
平面視において、前記複数の第２補助電極の各々は、前記複数の第２電極の各々の少なくとも一部と重畳するように設けられていることを特徴とする請求項１に記載のパッシブマトリクス駆動型のディスプレイ。
【請求項３】
前記複数の第２電極の各々は、透光性電極であることを特徴とする請求項１または２に記載のパッシブマトリクス駆動型のディスプレイ。
【請求項４】
前記基板は可撓性基板であることを特徴とする請求項１から３のいずれかに記載のパッシブマトリクス駆動型のディスプレイ。
【請求項５】
さらに、前記複数の第２電極の上方に設けられた第２基板を備えることを特徴とする請求項１から４のいずれかに記載のパッシブマトリクス駆動型のディスプレイ。
【請求項６】
前記発光層は有機ＥＬ層であることを特徴とする請求項１から５のいずれかに記載のパッシブマトリクス駆動型のディスプレイ。
【請求項７】
前記複数の第２の接続箇所の各々において、前記複数の第２電極の各々と前記複数の第２補助電極の各々とは前記複数の第１電極の各々と同じ組成からなる材料を含む電極層を介して電気的に接続されていることを特徴とする請求項１に記載のパッシブマトリクス駆動型のディスプレイ。
【請求項８】
前記基板には、最外側の発光層を外縁とする表示領域と、前記表示領域と隣り合う非表示領域とが存在し、
前記非表示領域が存在する基板の上方には、外部と接続される複数の第１外部端子が設けられ、
前記複数の第１補助電極の各々は、前記複数の第１外部端子の各々と電気的に接続され、
前記複数の第２補助電極の各々の端部には、前記非表示領域が存在する基板の上方において、外部と接続される複数の第２外部端子が存在し、
前記複数の発光層の各々から前記複数の第１電極のいずれかを介して前記複数の第１外部端子のいずれかに至る第１経路が複数存在し、前記複数の第１経路のうち、配線抵抗が最も高い経路の抵抗値をＲ１とし、
配線抵抗が最も高い前記第１経路を形成している発光層から第２電極を介して第２外部端子に至る第２経路の抵抗値をＲ２とするとき、Ｒ２＜Ｒ１であることを特徴とする請求項１に記載のパッシブマトリクス駆動型のディスプレイ。
【請求項９】
前記基板には、最外側の前記発光層を外縁とする表示領域と、前記表示領域と隣り合う非表示領域とが存在し、
前記非表示領域が存在する基板の上方には、前記複数の第１電極と同層に設けられた複数のライン状の第３補助電極が設けられ、
前記複数の第１補助電極の各々は、前記複数のライン状の第３補助電極の各々と第３の接続箇所を通じて電気的に接続され、
前記複数のライン状の第３補助電極は、前記第３の接続箇所を始点として前記表示領域と反対側に向かって延伸しており、
前記複数のライン状の第３補助電極の少なくとも一部が前記複数の第２補助電極の少なくとも一部と立体交差することにより、前記複数のライン状の第３補助電極の末端部には、前記複数のライン状の第３補助電極が互いに隣接する第１実装領域が存在し、
前記複数の第２補助電極は、前記表示領域が存在する基板の上方から前記非表示領域が存在する基板の上方にかけて延伸しており、前記複数の第２補助電極の末端部には、前記複数の第２補助電極が互いに隣接する第２実装領域が存在する
ことを特徴とする請求項１に記載のパッシブマトリクス駆動型のディスプレイ。
【請求項１０】
請求項１から９のいずれかに記載のパッシブマトリクス駆動型のディスプレイを複数枚組み合わせて１枚のディスプレイとしたタイリングディスプレイ。
【発明の詳細な説明】
【技術分野】
【０００１】
本発明は、パッシブマトリクス駆動型ディスプレイ及びそれを用いたタイリングディスプレイに関する。
【背景技術】
【０００２】
近年、大型のデジタルサイネージ用として、パッシブマトリクス駆動型ディスプレイを複数枚繋ぎ合わせたタイリングディスプレイが開発され、その普及が図られている。【０００３】
従来におけるタイリングディスプレイ用のパッシブマトリクス駆動型ディスプレイの一例として、パッシブマトリクス駆動型の有機ＥＬディスプレイ８００を例に取って説明する。図９（ａ）は平面図、図９（ｂ）はＡ−Ａ断面図である。従来技術に係る有機ＥＬディスプレイ８００は、第１基板８０１上にストライプ状に設けられた複数の第１電極８０２と、複数の第１電極８０２と立体交差するようにストライプ状に設けられた複数の第２電極８０４を有する。複数の第１電極８０２の各々と複数の第２電極８０４の各々との間には、各立体交差部分に有機ＥＬ層８０６が設けられ、残余の部分に絶縁層８０３が設けられている。また、複数の第２電極８０４の上には保護層８０５を有する。複数の第１電極８０２のＸ軸方向の端部８０２ａと複数の第２電極８０４のＹ軸方向の端部８０４ａは、信号入力用のドライバーの実装領域を含む信号取り出し部となっている。【０００４】
ここで、図９（ａ），（ｂ）に示す有機ＥＬディスプレイ８００を用いてタイリングディスプレイを構成した場合、信号取り出し部が２辺にできてしまう。これらの信号取り出し部が存在する領域は非表示領域となるため、額縁部の面積が増えて、１枚もののディスプレイとして視認されにくいという問題がある。【０００５】
そこで、特許文献１の有機ＥＬディスプレイ９００では、額縁部の面積を小さくする方法として一方向配線という手法が用いられている。【０００６】
具体的には図１０に示すように、第１基板９０１上にストライプ状に設けられた複数の第１電極９０２と、複数の第１電極９０２と立体交差するようにストライプ状に設けられた複数の第２電極９０４を有する。複数の第１電極９０２の各々と複数の第２電極９０４の各々との間には、各立体交差部分に有機ＥＬ層９０５が設けられている。複数の第２電極９０４の下方で、有機ＥＬ層９０５が設けられていない部分には、複数の第２電極９０４と立体交差し、且つ、複数の第１電極９０２と並行する複数の第２補助電極９０３が設けられている。複数の第２電極９０４の各々と複数の第２補助電極９０３の各々が立体交差する部分には、これらを電気的に接続させる接続箇所としてのコンタクトホール９０６を設ける。これにより特許文献１のパッシブマトリクス駆動型の有機ＥＬディスプレイ９００では、信号取り出し部をＸ軸方向の端部の１辺にのみ設ける一方向配線を実現していた。
【先行技術文献】
【特許文献】
【０００７】
【特許文献１】特開２０１２−３２４７１号公報
【発明の概要】
【発明が解決しようとする課題】
【０００８】
しかしながら特許文献１の構成では、複数の第２電極９０４の各々と複数の第２補助電極９０３の各々との電気的接続については、それぞれが立体交差する１箇所でしか行えない。そのため、複数の第２電極９０４の各々では、複数の第２補助電極９０３の各々との接続箇所９０６から離れるに従って配線抵抗が高くなる。その結果、電圧降下が生じて輝度ばらつきの原因となる。【０００９】
そこで本発明は、配線抵抗に起因する電圧降下を抑制し、輝度ばらつきの均一化を図ることができるパッシブマトリクス駆動型ディスプレイ及びタイリングディスプレイを提供する。
【課題を解決するための手段】
【００１０】
上記目的を達成するために、本発明の一態様に係るパッシブマトリクス駆動型ディスプレイは、基板と、前記基板の上方において、ストライプ状に設けられた複数の第１電極と、前記複数の第１電極の上方において、前記複数の第１電極と立体交差し、ストライプ状に設けられた複数の第２電極と、前記複数の第１電極と前記複数の第２電極が立体交差する各交差部分において、前記複数の第１電極の各々と前記複数の第２電極の各々との間に設けられた発光層と、前記基板と、前記複数の第１電極との間に設けられ、前記複数の第１電極と立体交差し、前記複数の第２電極と並行する複数の第１補助電極と、前記基板と、前記複数の第１電極との間に設けられ、前記複数の第１補助電極及び前記複数の第２電極の双方と並行する複数の第２補助電極と、を備え、前記複数の第１電極の各々と前記複数の第１補助電極の各々とは第１の接続箇所を通じて電気的に接続されており、前記複数の第２電極の各々と前記複数の第２補助電極の各々とは前記複数の第１電極の少なくとも１つを跨いで配置された複数の第２の接続箇所を通じて電気的に接続されている、ことを特徴とする。
【発明の効果】
【００１１】
本発明の一態様に係るパッシブマトリクス駆動型ディスプレイは、複数の第２電極の各々と複数の第２補助電極の各々とが並行している。これにより、複数の第２電極の各々と複数の第２補助電極の各々とは複数の第１電極の少なくとも１つを跨いで配置された複数の第２の接続箇所を通じて電気的に接続されるという構成を実現している。【００１２】
上記構成により、接続箇所が１箇所しかない特許文献１の技術と比べて接続箇所を増やした分だけ、複数の第２電極の各々における接続箇所から最も遠い箇所までの距離を短くすることができる。よって、複数の第２電極の各々での配線抵抗を下げることができて、電圧降下や輝度ばらつきを低減することが可能となる。【００１３】
従って、本発明の一態様に係るパッシブマトリクス駆動型ディスプレイによれば、配線抵抗に起因する電圧降下を抑制し、輝度ばらつきの均一化が図られたパッシブマトリクス駆動型ディスプレイ及びタイリングディスプレイを提供することができる。
【図面の簡単な説明】
【００１４】
【図１】実施の形態に係るタイリングディスプレイの平面図である。
【図２】実施の形態に係るパッシブマトリクス駆動型ディスプレイの平面図である。
【図３】実施の形態に係るパッシブマトリクス駆動型ディスプレイの領域Ｄ１における斜視図である。
【図４】実施の形態に係るパッシブマトリクス駆動型ディスプレイの領域ＮＤ１における斜視図である。
【図５】（ａ）は、実施の形態に係るパッシブマトリクス駆動型ディスプレイのＡ−Ａ断面図（図２参照）である。（ｂ）は、実施の形態に係るパッシブマトリクス駆動型ディスプレイのＢ−Ｂ断面図（図２参照）である。
【図６】変形例１に係るパッシブマトリクス駆動型ディスプレイの平面図である。
【図７】変形例１に係るタイリングディスプレイの平面図である。
【図８】（ａ）は変形例２に係るタイリングディスプレイの斜視図であり、（ｂ）は変形例３に係るタイリングディスプレイの斜視図であり、（ｃ）は変形例４に係るタイリングディスプレイの斜視図である。
【図９】（ａ）は従来技術に係るパッシブマトリクス駆動型ディスプレイの平面図であり、（ｂ）は従来技術に係るパッシブマトリクス駆動型ディスプレイの断面図である。
【図１０】従来技術に係るパッシブマトリクス駆動型ディスプレイの斜視図である。
【発明を実施するための形態】
【００１５】
＜＜本発明の態様＞＞
本発明の一態様に係るパッシブマトリクス駆動型ディスプレイは、基板と、前記基板の上方において、ストライプ状に設けられた複数の第１電極と、前記複数の第１電極の上方において、前記複数の第１電極と立体交差し、ストライプ状に設けられた複数の第２電極と、前記複数の第１電極と前記複数の第２電極が立体交差する各交差部分において、前記複数の第１電極の各々と前記複数の第２電極の各々との間に設けられた発光層と、前記基板と、前記複数の第１電極との間に設けられ、前記複数の第１電極と立体交差し、前記複数の第２電極と並行する複数の第１補助電極と、前記基板と、前記複数の第１電極の間に設けられ、前記複数の第１補助電極及び前記複数の第２電極の双方と並行する複数の第２補助電極と、を備え、前記複数の第１電極の各々と前記複数の第１補助電極の各々とは第１の接続箇所を通じて電気的に接続されており、前記複数の第２電極の各々と前記複数の第２補助電極の各々とは前記複数の第１電極の少なくとも１つを跨いで配置された複数の第２の接続箇所を通じて電気的に接続されている、ことを特徴とする。
【００１６】
また、平面視において、前記複数の第２補助電極の各々は、前記複数の第２電極の各々の少なくとも一部と重畳するように設けられていてもよい。
【００１７】
また、前記複数の第２電極の各々は、透光性電極であってもよい。
【００１８】
また、前記基板は可撓性基板であってもよい。
【００１９】
また、さらに、前記複数の第２電極の上方に設けられた第２基板を備えていてもよい。
【００２０】
また、前記発光層は有機ＥＬ層であってもよい。
【００２１】
また、前記複数の第２の接続箇所の各々において、前記複数の第２電極の各々と前記複数の第２補助電極の各々とは前記複数の第１電極の各々と同じ組成からなる材料を含む電極層を介して電気的に接続されていてもよい。
【００２２】
また、前記基板には、最外側の発光層を外縁とする表示領域と、前記表示領域と隣り合う非表示領域とが存在し、前記非表示領域が存在する基板の上方には、外部と接続される複数の第１外部端子が設けられ、前記複数の第１補助電極の各々は、前記複数の第１外部端子の各々と電気的に接続され、前記複数の第２補助電極の各々の端部には、前記非表示領域が存在する基板の上方において、外部と接続される複数の第２外部端子が存在し、前記複数の発光層の各々から前記複数の第１電極のいずれかを介して前記複数の第１外部端子のいずれかに至る第１経路が複数存在し、前記複数の第１経路のうち、配線抵抗が最も高い経路の抵抗値をＲ１とし、配線抵抗が最も高い前記第１経路を形成している発光層から第２電極を介して第２外部端子に至る第２経路の抵抗値をＲ２とするとき、Ｒ２＜Ｒ１であってもよい。
【００２３】
また、前記基板には、最外側の前記発光層を外縁とする表示領域と、前記表示領域と隣り合う非表示領域とが存在し、前記非表示領域が存在する基板の上方には、前記複数の第１電極と同層に設けられた複数のライン状の第３補助電極が設けられ、前記複数の第１補助電極の各々は、前記複数のライン状の第３補助電極の各々と第３の接続箇所を通じて電気的に接続され、前記複数のライン状の第３補助電極は、前記第３の接続箇所を始点として前記表示領域と反対側に向かって延伸しており、前記複数のライン状の第３補助電極の少なくとも一部が前記複数の第２補助電極の少なくとも一部と立体交差することにより、前記複数のライン状の第３補助電極の末端部には、前記複数のライン状の第３補助電極が互いに隣接する第１実装領域が存在し、前記複数の第２補助電極は、前記表示領域が存在する基板の上方から前記非表示領域が存在する基板の上方にかけて延伸しており、前記複数の第２補助電極の末端部には、前記複数の第２補助電極が互いに隣接する第２実装領域が存在してもよい。
【００２４】
また、上記のいずれかに記載のパッシブマトリクス駆動型のディスプレイを複数枚組み合わせて１枚のディスプレイとしたタイリングディスプレイとしてもよい。
【００２５】
本発明を実施するための形態を、図面を参照して詳細に説明する。
【００２６】
＜＜実施の形態＞＞
＜全体構成（タイリングディスプレイ）＞
まず本実施の形態に係るタイリングディスプレイ１００について図１を用いて説明する。本実施の形態に係るパッシブマトリクス駆動型ディスプレイ１Ａ，１Ｂ，１Ｃと、これらをＸ軸方向に沿った対称軸に対して線対称となるように作製したパッシブマトリクス駆動型ディスプレイ１０１Ａ，１０１Ｂ，１０１Ｃの合計６枚を並べたタイリングディスプレイ１００を示している。
【００２７】
領域Ｄは最外側の発光層を外縁とする表示領域を、領域ＮＤは表示領域と隣り合い、信号取り出し部からなる非表示領域を示す。このように信号取り出し部をＹ軸方向の端部の１辺側に設ける一方向配線構造を採用することで、非表示領域ＮＤをＹ軸方向の両端に設置することが可能となる。その結果、表示領域Ｄでは６枚のディスプレイが１枚もののディスプレイとして視認され、額縁部を感じさせない大型のデジタルサイネージ用ディスプレイが実現できる。
【００２８】
＜全体構成（各ディスプレイ）＞
図２はタイリングディスプレイ１００のうちの１つであるパッシブマトリクス駆動型ディスプレイ１Ａを示しており、具体的にはパッシブマトリクス駆動型の有機ＥＬディスプレイである。図２において二点鎖線で囲まれた拡大断面図に示すように、発光層である有機ＥＬ層５が複数の第１電極３の各々と複数の第２電極４の各々とに挟まれていて、これが発光セル１６を構成する。表示領域Ｄでは全体として平面視においてこの発光セル１６がマトリクス状に配置されている。
【００２９】
有機ＥＬ層５は発光セル毎にＲ（赤），Ｇ（緑），Ｂ（青）の発光色を有する層となっており、Ｒ，Ｇ，Ｂの３つの発光セル１６で１画素を構成している。
【００３０】
尚、図１に示す各部は単に模式的に示したもので、実際の大きさを反映したものではない。
【００３１】
＜概略構成（表示領域Ｄ）＞
図２における一点鎖線で囲まれた領域Ｄ１をＥ１方向の斜め上方から見た時の斜視構造を図３を参照して説明する。ここでは簡単のため第１基板２と電極のみについて示した。
【００３２】
第１基板２の上方には各々がＸ軸方向に沿って延伸するストライプ状に設けられた複数の第１電極３が設けられている。そして、その上方に各々がＹ軸方向に沿って延伸するストライプ状に設けられた複数の第２電極４（図３では１つのみを図示している。図３については以下同様である。）が設けられている。上述の通り、これらの電極が立体交差する各交差部分には発光層である有機ＥＬ層５が設けられている。第１基板２と、複数の第１電極３との間には、複数の第１電極３と立体交差するように、Ｙ軸方向に沿って延伸するストライプ状に設けられた複数の第１補助電極６が設けられている。そして、複数の第１補助電極６及び複数の第２電極４の双方と並行する複数の第２補助電極７（図３では１つのみを図示している。図３については以下同様である。）が設けられている。ここで電極同士が並行するとは、電極同士の延伸方向のなす角度が０°に限定されるものではなく、０°を中心とした±３０°の範囲内にあることを意味する。本実施の形態では、複数の第２補助電極７はＹ軸方向に沿っているとする。
【００３３】
これにより、複数の第１補助電極６と複数の第２補助電極７とを同じＹ軸方向に沿って配置することが可能となるので、ディスプレイの非表示領域ＮＤの端部における１辺側の端部に外部端子を配置する一方向配線が実現できる。
【００３４】
本実施の形態では複数の第１電極３の各々と複数の第１補助電極６の各々とは１つの接続箇所であるコンタクトホールＣＨ１で電気的に接続されている。しかし１つに限定されるものではなく、複数のコンタクトホールで電気的に接続されていてもよい。本明細書でいうところの「コンタクトホール」の用語は後程、詳細に説明する。
【００３５】
複数の第２補助電極７の各々は、Ｙ軸方向に沿って延伸し、且つ、平面視において複数の第２電極４の各々と重畳するように設けられている。複数の第２電極４の各々と複数の第２補助電極７の各々とは３つの第１電極３を跨いで複数のコンタクトホールＣＨ２で電気的に接続されている。より具体的には図２に示すように、１画素おきに１つずつコンタクトホールＣＨ２を配置している。
【００３６】
本実施の形態に係るパッシブマトリクス駆動型ディスプレイ１Ａは上方向（＋Ｚ軸方向）に光を取り出す、所謂トップエミッション型であるため、複数の第２電極４の各々は透光性電極である。透光性電極は例えば、ＩＴＯ（Ｉｎｄｉｕｍ Ｔｉｎ Ｏｘｉｄｅ）やＩＺＯ（Ｉｎｄｉｕｍ Ｚｉｎｃ Ｏｘｉｄｅ）等から構成されており配線抵抗が高いため、配線を長距離で配置すると電圧降下が生じて輝度ばらつきが生じてしまう。
【００３７】
しかし、本実施の形態では、１画素程度の間隔で、コンタクトホールＣＨ２で複数の第２電極４の各々と複数の第２補助電極７の各々とを電気的に接続可能となる。これにより高抵抗である透光性電極を配置する距離を１画素程度の間隔まで狭めることができ、結果的に配線抵抗を下げることが可能となる。
【００３８】
尚、本実施の形態では複数の第２補助電極７の各々は、複数の第２電極４の各々と並行、かつ、平面視で複数の第２電極４の各々と重畳するように設けたが、必ずしも全体が重畳していなくともよい。一部が重畳していてもよいし、また、コンタクトホールＣＨ２で接続可能な範囲内であればＸ軸方向おいてずれていても構わない。
【００３９】
また、本実施の形態では、複数の第２電極４の各々と複数の第２補助電極７の各々とは３つの第１電極を跨いで（１画素おきに）、複数の第２の接続箇所（コンタクトホール）で接続している構成としたが、これに限定されるものではない。少なくとも１つの第１電極を跨いだ構成であればよい。また、接続箇所はコンタクトホールに限定されるものではない。電気的に接続されるものであれば、その他の構成でもよい。例えば、導電性部材等を埋め込んだ構成でも構わない。
【００４０】
本実施の形態における電極幅、コンタクトホールの面積及びその位置に関する例を参考までに次に述べておく。
【００４１】
複数の第１補助電極６の各々の幅をｗ１、複数の第２補助電極７の各々の幅をｗ２とすると、ｗ２は１２．５ｗ１程度である。これにより、コンタクトホールＣＨ１の面積をＳ１、コンタクトホールＣＨ２の面積をＳ２とすると、Ｓ２は２０Ｓ１以上の面積を確保できる。
【００４２】
また、コンタクトホールＣＨ２の中心からＧ（緑）に発光する有機ＥＬ層５の中心までの距離ｌは６５０μｍ以下とした。
【００４３】
＜概略構成（非表示領域ＮＤ）＞
図２における一点鎖線で囲まれた領域ＮＤ１をＥ２方向の斜め上方から見た時の斜視構造を図４を参照して説明する。ここでは簡単のため、第１基板２と電極のみについて示した。また一部の電極は省略している。
【００４４】
第１基板２の上方には各々がＹ軸方向に沿って延伸するストライプ状に設けられた複数の第１補助電極６とそれと並行する複数の第２補助電極７が設けられている。複数の第１補助電極６の各々はコンタクトホールＣＨ３で、その上方に設けられていて、複数の第１電極３と同じ組成からなる材料を含み、同層に設けられた複数のライン状の第３補助電極３ｂの各々と電気的に接続している。そして、複数の第２補助電極７の一部と複数のライン状の第３補助電極３ｂの一部とを立体交差させることで、これらを異なる領域に束ねることが可能となる。つまり、複数のライン状の第３補助電極３ｂの末端部では、前記複数のライン状の第３補助電極３ｂが互いに隣接し、複数の第２補助電極７の末端部では、複数の第２補助電極７が互いに隣接している。
【００４５】
複数の第１電極３と電気的に接続し外部と接続する複数の第１外部端子を３ａ、複数の第２電極４と電気的に接続し外部と接続する複数の第２外部端子を７ａとする。複数の第１外部端子３ａと複数の第２外部端子７ａは非表示領域ＮＤにおけるディスプレイ１Ａの１辺側の端部に設けられている。そして、それぞれ信号入力用のドライバー（不図示）が実装される第１実装領域３０と第２実装領域４０に分けることができる。これにより、電極間のスペースの幅を狭くすることができ、実装領域の面積も抑えることが可能となる。そして、２つの信号入力用のドライバー（スキャン線用ドライバーとデータ線用のドライバー）をそれぞれの領域に実装することが可能となる。
【００４６】
本実施の形態では複数の第１補助電極６の各々をその上方の複数のライン状の第３補助電極３ｂの各々に電気的に接続させて、複数の第２補助電極７の一部の上を立体交差させたが、これに限定されるものではない。複数の第２補助電極７の一部を立体交差させても構わない。
【００４７】
また、パッシブマトリクス駆動では、複数の第１電極３の各々をデータ線、複数の第２電極４の各々をスキャン線とすると、複数の第２電極４の各々では１ラインにおいて発光している有機ＥＬ層５を通る電流の総和が流れる。このため、複数の第１電極３の各々と比較して複数の第２電極４の各々では大きい電流が流れてしまう。そこで複数の第２補助電極７の各々の電極幅ｗ２を、複数の第１補助電極６の各々の電極幅ｗ１及び複数のライン状の第３補助電極の各々の電極幅ｗ３をより太くしておくことが好ましい。このことにより、複数の第２補助電極７の各々の配線抵抗を下げることが可能となる。
【００４８】
＜各層構成（Ａ−Ａ断面図）＞
図５（ａ）を参照して図２に示したＡ−Ａ断面の構造を説明する。
【００４９】
これまでの説明では、電極構造の説明に主眼を置くために、基板は１枚の基板２のみとしていた。しかし、実際には、実施の形態のディスプレイ１Ａでは、対向基板も有している。そこで、以下、下側の基板を第１基板２とし、対向する上側の基板を第２基板１５として説明を行う。また、各電極及び各補助電極は、実際には複数存在するが、以下の断面図での説明では、基本的に単数として記述する。
【００５０】
（第１基板２及びバリア層８）
第１基板２は可撓性基材であるポリイミドを有する。そして第１基板２上にバリア層８を設ける。第１基板２が可撓性基材の場合は水分透過率が高く、有機ＥＬ層が劣化する問題が生ずるため、バリア層８は水分透過を防止するために設けられる。バリア層８の材質は窒化シリコンである。しかし、窒化シリコンに限定されることはなく、水分透過性の低い材料であれば、窒化酸化シリコン、酸化シリコン等のシリコン系材料でもよい。また、金属薄膜や有機材料であってもよい。また、第１基板２も可撓性基材である必要はなく、ガラス等の剛性のある基材を用いてもよい。ガラスを用いる場合は水分透過性が低いためバリア層８はなくてもよい。
【００５１】
（平坦化層９）
バリア層８の上には平坦化層９を設ける。平坦化層９はアクリル系の有機材料である。しかしこれに限定されるものではなく、平坦性を高められる材料であれば他の有機材料や無機材料でもよい。尚、第１基板２にガラスを用いる場合には、ガラスは平坦性が高いため平坦化層９はなくてもよい。
【００５２】
（第１補助電極６及び第２補助電極７）
平坦化層９の上にはＹ軸方向に沿って延伸する第１補助電極６及び第２補助電極７を同じ材質で同層に設ける。材質はＭｏ／Ａｌ／Ｍｏを含む積層した構造である。これは低抵抗のＡｌが酸化されやすく、酸化を防ぐために酸化に強いＭｏで挟んで製膜し、酸化に耐性を持たせるためである。しかしこの構造に限定されるものではなく、酸化防止層として他の酸化に強い材料を使用してもよい。またＡｌに限定されるものではなく、Ａｌ合金、Ａｇ合金またはＣｕやＡｕ等の低抵抗な材料であってもよい。さらには金属材料である必要もなく、ナノチューブや銀ナノワイヤー等の高い導電性を有するものであってもよい。
【００５３】
（第１絶縁層１０）
第１補助電極６と第２補助電極７上に第１絶縁層１０を設ける。第１絶縁層１０はアクリル系の有機材料である。しかしこれに限定されるものではなく、絶縁性を有するものであれば酸化シリコン等の無機材料でもよい。
【００５４】
（第１電極３）
第１絶縁層１０の上には、第１補助電極６及び第２補助電極７と立体交差するようにＸ軸方向に沿って延伸する第１電極３を設ける。第１電極３はアノード（陽極）である。第１電極３はＩＺＯと、Ａｌ合金とを積層した構造を有する。Ａｌ合金は高反射な電極として機能する。また、透光性電極であるＩＺＯはＡｌ合金の酸化を防ぐこと、Ａｌ特有のヒロックと呼ばれる針状のピークが立つことを防ぐという役割を持ちながら、透光性があるためＡｌ合金の高反射性を損なわない構造である。発光層である有機ＥＬ層５からは上下どちらの方向にも発光するため、下方向（−Ｚ軸方向）に発光した光はこのＡｌ合金で反射され、光取り出し側である上方向（＋Ｚ軸方向）に効率的に取り出される。しかし第１電極３はこの構造に限定されるものではなく、導電性を有するものであれば他の金属材料、金属酸化物材料、有機材料であってもよい。
【００５５】
（コンタクトホールＣＨ１）
ＣＨ１の部分では、第１絶縁層１０にホール（穴）が設けられていて、そのホールに第１電極３が入り込んで３つの第１補助電極６の１つと電気的に接続されている。これが第１のコンタクトホールＣＨ１である。本明細書で記載されたコンタクトホールとは単なるホール（穴）ではなく、このように上層の電極が入り込んで下層の電極と電気的に接続（コンタクト）されているものを意味する。
【００５６】
尚、先に述べたコンタクトホールＣＨ３もコンタクトホールＣＨ１と同様に設けられる。
【００５７】
（第２絶縁層１１）
第１電極３上には発光セル１６に相当する部分に開口部を有するように第２絶縁層１１を設ける。第２絶縁層１１はポリイミドを主成分とする材料である。しかしこれに限定されるものではなく、他の有機材料や酸化シリコン等の無機材料であってもよい。
【００５８】
（有機ＥＬ層５）
第２絶縁層１１の開口部には有機ＥＬ層５が設けられている。有機ＥＬ層５は有機材料と無機材料とで構成され、内部で、ホール注入層、ホール輸送層、発光層、電子輸送層、電子注入層等が機能分離した構造となっている。しかしこれに限定されるものではなく、発光機能を有するものであれば機能分離した構造でなくてもよい。
【００５９】
（第２電極４）
有機ＥＬ層５の上には第１電極３と立体交差するようにＹ軸方向に沿って延伸する第２電極４を設ける。第２電極４は透光性電極であり、例えば、ＭｇとＡｇの混合物である。第２電極４を厚く設けてしまうと透過率が低くなってしまうため、膜厚は３０ｎｍ以下が好ましい。金属はＭｇとＡｇの混合物に限定するものではなく、どちらか一方の金属でもよいし、他の金属でもよい。また透光性電極であれば金属である必要もなく、ＩＴＯ等の金属酸化物やＰＥＤＯＴ等の有機材料やナノチューブ等の無機材料であってもよい。第２電極４はカソード（陰極）である。
【００６０】
（封止膜１２）
第２電極４及び第２絶縁層１１の上には水分等の侵入を防ぐための封止膜１２を設ける。封止膜１２の材質は、例えば、窒化シリコンである。しかしこれに限定されるものではなく、水分透過性の低い材料であれば、窒化酸化シリコンや酸化シリコン等のシリコン系材料または金属薄膜や有機材料であってもよい。
【００６１】
（樹脂層１３、バリア層１４及び第２基板１５）
封止膜１２の上に樹脂層１３を設ける。樹脂層１３の上には、バリア層１４と第２基板１５がある。樹脂層１３は、封止膜１２とバリア層１４との接着剤としての役割を果たす熱硬化性のエポキシ樹脂である。しかしこれに限定されるものではなく、ＵＶ硬化性のエポキシ樹脂や他の有機材料であってもよい。バリア層１４も封止膜１２同様、例えば、窒化シリコンである。しかしこれに限定されるものではなく、水分透過性の低い材料であれば、窒化酸化シリコンや酸化シリコン等のシリコン系材料または金属薄膜や有機材料であってもよい。第２基板１５の材質はポリイミドを有する。しかしこれに限定されるものではなく、ＰＥＮやＰＥＴ等の他、有機材料でもよいし、ガラスであってもよい。
【００６２】
尚、上記では第２基板１５の第１基板２側にバリア層１４を設けたが、第１基板２と反対側に設けてもよい。また、バリア層１４を多層構造としてもよい。また上記では第１基板２と第２基板１５とを樹脂層１３で接着したが、他の方法による接着であってもよい。
【００６３】
＜各層構成（Ｂ−Ｂ断面図）＞
図５（ｂ）を参照して図２に示したＢ−Ｂ断面の構造を説明する。ここではＡ−Ａ断面の説明のところで説明済のものは省略し、異なる箇所のみについて述べる。
【００６４】
（第２補助電極７）
平坦化層９の上にはＹ軸方向に沿って延伸する第２補助電極７を設ける。第２補助電極７の上には第１絶縁層１０を設けるが、ＣＨ２の部分にはホールを設けておく。そしてその上からＸ軸方向に沿って延伸する互いに離間した３つの第１電極３を設けるとともに、ＣＨ２のホール内にも第１電極３と同じ組成からなる材料を含む電極層３ｃ（以下、電極層３ｃと称す）を設けておく。発光セル１６の部分の第１電極３の上に有機ＥＬ層５を設けた後、Ｙ軸方向に沿って延伸する第２電極４を設ける。
【００６５】
（コンタクトホールＣＨ２）
ＣＨ２の部分では、第１絶縁層１０のホール内に設けられた電極層３ｃの上から第２電極４が入り込んで、結果的に第２電極４と第２補助電極７とが電気的に接続されている。これが第２のコンタクトホールＣＨ２である。このように第２電極４と第２補助電極７とを電極層３ｃを介して接続することで、接続不良や第２補助電極７へのダメージを低減することが可能となる。また、ＣＨ２の部分の電極層３ｃは、発光セル１６の部分の第１電極３と同一プロセスで設けることが可能であり、プロセスの増加もない。
【００６６】
尚、プロセスは増えるが、第２電極４と第２補助電極７とを第１電極３とは異なる導電性材料を介して接続してもよい。ただし、この場合は、第２電極４をエッチングする際に同時にエッチングされないようにするため、この導電性材料は第２電極４のエッチャントによりエッチングされない材料である必要がある。
【００６７】
（第２絶縁層１１）
また、図５（ｂ）の拡大図に示したように、第２絶縁層１１の端面はテーパー状をなしていることが好ましい。すなわち、第２絶縁層１１の端面１１ａと第１電極３の主面３ｄとのなす角度θは９０°より大きいことが好ましい。仮にθが９０°以下とすると、第２電極４を薄く設けた場合に、第２電極４が途中で切れてしまい、導電性を確保できないからである。
【００６８】
＜配線抵抗の見積もり結果＞
以上では、複数の第２電極４の各々と複数の第２補助電極７の各々とは複数の接続箇所（コンタクトホール）で電気的に接続することができるので、複数の第２電極の各々の配線抵抗を下げることが可能であると説明したが、実際のデータでの裏付けはしていなかった。
【００６９】
そこで、図２を参照して、アノードである第１電極３側とカソードである第２電極４側の配線抵抗の見積もりを行った結果を説明する。
【００７０】
複数の発光層５の各々から複数の第１電極３のいずれかを介して第１外部端子３ａのいずれかに至る経路は複数存在する。この複数の経路のうち、配線抵抗が最も高い経路は、配線距離が最も長い経路である。配線距離が最も長いのは、ディスプレイ１Ａの外部端子が存する１辺Ｆ１と反対側の１辺Ｆ２に最も近い発光層５の列のうち、上端にある発光層５（発光セルではＱ１）から第１電極３ｅ１を介して第１外部端子３ａ１に至る経路である。この経路の配線抵抗をＲ１とする。そして、この発光層５（発光セルではＱ１）と接する第２電極４ｅ１を介して第２外部端子７ａ１に至る経路の配線抵抗をＲ２とする。見積もりの結果、Ｒ２はＲ１の１／４以下であった。また、ディスプレイ１Ａの１辺Ｆ２に最も近い発光層５の列のうち、下端にある発光層５（発光セルではＱ２）から第１電極３ｅ１を介して第１外部端子３ａ１に至る経路の配線抵抗をＲ３とする。そして、この発光層５（発光セルではＱ２）と接する第２電極４ｅ２を介して第２外部端子７ａ２に至る経路の配線抵抗をＲ４とする。見積もりの結果、Ｒ４はＲ３の１／４以下であった。この結果より、カソードである第２電極４側の配線抵抗が、アノードである第１電極３側の配線抵抗よりも低いことが裏付けされた。
【００７１】
本実施の形態で用いた複数の第２電極４の各々のシート抵抗値は４０Ω／□程度である。尚、本実施の形態ではシート抵抗値が４０Ω／□である複数の第２電極４を用いたが、これに限定されるものではない。
【００７２】
この結果により、第２電極側の配線抵抗の方が小さくなっており、電圧降下が抑制されていることが確認された。
【００７３】
＜＜変形例１＞＞
図６は本変形例１に係るパッシブマトリクス駆動型ディスプレイ２０１Ａを示す。実施の形態に係るパッシブマトリクス駆動型ディスプレイ１Ａとの違いは、Ｙ軸方向の発光セル２０５の１列と次の発光セル２０５の１列との間に複数の第１補助電極２０６を設けずに、発光セル２０５の２列分を隣接して設置した点である。そして発光セル２０５の２列と次の発光セル２０５の２列との間に２組の３つの第１補助電極２０６を設ける。発光セル２０５の２列と次の発光セル２０５の２列との距離をＰとする。
【００７４】
次に本変形例１に係るタイリングディスプレイ２００について図７を用いて説明する。本変形例１に係るパッシブマトリクス駆動型ディスプレイ２０１Ａ，２０１Ｂ，２０１Ｃと、これらをＸ軸方向に沿った対称軸に対して線対称となるように作製したパッシブマトリクス駆動型ディスプレイ２０２Ａ，２０２Ｂ，２０２Ｃの合計６枚を並べたタイリングディスプレイ２００を示している。
【００７５】
本変形例１では、表示領域Ｄでは６枚のディスプレイが１枚もののディスプレイとして視認されるのはもちろんであるが、Ｙ軸方向の発光セル２０５の２列と次の発光セル２０５の２列との距離Ｐが、１つのディスプレイ２０１Ａ〜２０１Ｃ，２０２Ａ〜２０２Ｃ内だけでなく、異なるディスプレイ間でも同じ距離Ｐにすることができる。
【００７６】
従って、本変形例１では６枚のディスプレイがより滑らかに繋がれた１枚もののディスプレイとして視認される。
【００７７】
＜＜変形例２＞＞
図８（ａ）は、本変形例２に係るパッシブマトリクス駆動型ディスプレイ３０１Ａ及び３０１Ｂと、それらを並べたタイリングディスプレイ３００を示している。
【００７８】
ここではパッシブマトリクス駆動型ディスプレイ３０１Ａ及び３０１Ｂの第１基板及び第２基板として可撓性基材であるポリイミドを用いている。そのため、１枚のディスプレイを湾曲させたり、折り曲げたりすることができる。
【００７９】
本変形例２のタイリングディスプレイ３００では、パッシブマトリクス駆動型ディスプレイ３０１Ａ及び３０１Ｂの非表示領域ＮＤを裏側に折り曲げて２枚を繋げている。その結果、表示領域Ｄが１枚もののディスプレイとして視認されるだけでなく、非表示領域ＮＤもなくしてしまうことが可能となり、額縁を究極まで感じさせないタイリングディスプレイ３００が実現される。
【００８０】
＜＜変形例３＞＞
本変形例３では、図８（ｂ）のように非表示領域ＮＤを互いに反対側に配置した点を除き、変形例２と同じである。本変形例３では、タイリングディスプレイ４００の裏側で非表示領域ＮＤ同士の間に回路基板等をまとめて設置できるスペースがある点でメリットがある。
【００８１】
＜＜変形例４＞＞
本変形例４では、図８（ｃ）のように非表示領域ＮＤを多少湾曲させて、隣接するディスプレイの裏側に非表示領域ＮＤを配置している。変形例２及び変形例３のように折り曲げる程の可撓性がない基板を用いる場合には、変形例４はメリットがある。
【００８２】
＜＜変形例２〜変形例４の補足＞＞
上記の変形例２〜変形例４に示した各ディスプレイは可撓性基材を用いているため、任意の位置で折り曲げや屈曲が可能である。そのため、Ｙ軸方向において隣り合うディスプレイの境界線を跨いで対向する１画素と１画素との距離を、各ディスプレイ内におけるＹ軸方向の１画素と１画素との距離と等しく調節して設置することも可能である。その結果、変形例２〜変形例４に示したタイリングディスプレイ３００，４００，５００では複数枚のディスプレイがより滑らかに繋がれた１枚もののディスプレイとして視認される。
【００８３】
＜＜その他の事項＞＞
（１）本明細書中の実施の形態及びその変形例では、発光層として有機ＥＬ層を用いていたが、これに限定されるものではなく、パッシブマトリクス駆動型であれば、無機ＥＬやＦＥＤ（Ｆｉｅｌｄ  Ｅｍｉｓｓｉｏｎ  Ｄｉｓｐｌａｙ）、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）、液晶ディスプレイ等にも広く適用可能である。
（２）本明細書中の実施の形態及びその変形例では、第２基板を有している構成としたが、発光層の上方に配置された封止膜やバリア層等で水分の侵入を充分抑制することができるのであれば、第２基板はなくともよい。
（３）本明細書中の実施の形態及びその変形例では、複数の第１補助電極及び複数の第２補助電極をＹ軸方向に取り出して一方向配線を実現していたが、この方向に限定されるものではなく、Ｘ軸方向に取り出して一方向配線としてもよいし、その他の方向であってもよい。
（４）本明細書中の実施の形態では、複数の第１補助電極と複数の第２補助電極とは同層としていたが、異なる層であっても構わない。
（５）本明細書中の変形例では、第１基板と第２基板の両方を可撓性基板としたが、少なくとも一方だけでもよい。
（６）本発明に係るパッシブマトリクス駆動型ディスプレイは、平面構造のみならず、曲面や球面状の構造にも適用可能である。
（７）本明細書中の実施の形態及びその変形例で「基板の上方」という用語が使用されている場合には、その意味は、「基板上（基板と接している）」場合と「基板の上の方（基板と接していない）」場合の両方の意味であるとする。
（８）本発明に係るパッシブマトリクス駆動型ディスプレイは、実施の形態及びその変形例の部分的な構成を、適宜組み合わせてなる構成であってもよい。また、実施の形態及びその変形例に記載した材料、数値等は好ましいものを例示しているだけであり、それに限定されることはない。さらに、本発明の技術的思想の範囲を逸脱しない範囲で、構成に適宜変更を加えることは可能である。本発明は、パッシブマトリクス駆動型ディスプレイ全般に広く利用可能である。
【産業上の利用可能性】
【００８４】
本発明は、例えば大型のデジタルサイネージ用のタイリングディスプレイとして利用することができる。
【符号の説明】
【００８５】
１Ａ          ディスプレイ
２            第１基板
３            第１電極
３ａ          第１外部端子
３ｂ          第３補助電極
３ｃ          電極層
４            第２電極
５            発光層
６            第１補助電極
７            第２補助電極
７ａ          第２外部端子
１５          第２基板
１６          発光セル
３０          第１実装領域
４０          第２実装領域
１００        タイリングディスプレイ
【図１】
0005982060.tif 000002
【図２】
0005982060.tif 000003
【図３】
0005982060.tif 000004
【図４】
0005982060.tif 000005
【図５】
0005982060.tif 000006
【図６】
0005982060.tif 000007
【図７】
0005982060.tif 000008
【図８】
0005982060.tif 000009
【図９】
0005982060.tif 000010
【図１０】
0005982060.tif 000011